(57)【要約】【課題】異なる供給方法によって供給された原稿の読み取りに基づく各画像データを、自動的に関連付けできる画像読取装置提供すること。【解決手段】本発明によれば、第１の供給方法により供給された原稿が読取部で読み取られた後、第１の供給方法と第２の供給方法との切り替えが検知された場合に、第２の供給方法により供給された原稿が読取部で読み取られたことを条件として、第１の供給方法により供給された原稿に基づき生成された第１画像データと、第２の供給方法により供給された原稿に基づき生成された第２画像データとが関連付けられ、出力される。よって、切替部による原稿の供給方法の切り替えを行うことによって、第１の供給方法または第２の供給方法によって搬送される原稿の読み取りに基づく各画像データを、自動的に関連付けることができる。【選択図】図５
2014086958.tif 000002
【特許請求の範囲】
【請求項１】
第１の供給方法または前記第１の供給方法とは異なる第２の供給方法によって供給される原稿をそれぞれ読み取り可能な読取部と、
前記第１の供給方法と前記第２の供給方法とを切り替える切替部と、
前記切替部による切り替えを検知する検知部と、
制御部とを備え、
前記制御部は、
前記第１の供給方法と前記第２の供給方法により供給され、前記読取部で読み取られた原稿に基づいて画像データを生成する画像生成手段と、
前記第１の供給方法により供給された原稿が前記読取部で読み取られた後、前記検知部により前記切り替えが検知された場合に、前記第２の供給方法により供給された原稿が前記読取部で読み取られたことを条件として、前記第１の供給方法により供給された原稿に基づき前記画像生成手段により生成された第１画像データと、前記第２の供給方法により供給された原稿に基づき前記画像生成手段により生成された第２画像データと、を関連付ける関連付け手段と、
前記関連付け手段により関連付けられた前記第１画像データおよび前記第２画像データを出力する出力手段と、
を備えていることを特徴とする画像読取装置。
【請求項２】
原稿を搬送する第１経路と、
原稿を搬送する第２経路と、
を備え、
前記第１の供給方法は、前記第１経路を搬送させることであり、
前記第２の供給方法は、前記第２経路を搬送させることであり、
前記読取部は、前記第１経路または前記第２経路を搬送される原稿を読み取るものであり、
前記切替部は、前記読取部による読み取り対象の原稿の搬送経路を、前記第１経路と前記第２経路とで切り替えるためのものであり、
前記画像生成手段は、前記第１経路または前記第２経路を搬送され、前記読取部で読み取られた原稿に基づいて画像データを生成し、
前記関連付け手段は、前記第１経路を搬送された原稿が前記読取部で読み取られた後、前記検知部により前記切り替えが検知された場合に、前記第２経路を搬送された原稿が前記読取部で読み取られたことを条件として、前記第１経路を搬送された原稿に基づき前記画像生成手段により生成された第１画像データと、前記第２経路を搬送された原稿に基づき前記画像生成手段により生成された第２画像データと、を関連付けることを特徴とする請求項１記載の画像読取装置。
【請求項３】
前記画像読取装置は、
画面を表示する表示部と、
入力操作を受け付ける入力部と、を備え、
前記制御部は、
前記検知部により前記第１経路への切り替えが検知された場合、前記第１経路を搬送された原稿を前記読取部が読み取る際の読取設定値を設定させるための第１画面を前記表示部に表示させ、前記検知部により前記第２経路への切り替えが検知された場合、前記第２経路を搬送された原稿を前記読取部が読み取る際の読取設定値を設定させるための第２画面を前記表示部に表示させる第１表示制御手段と、
前記第１画面または前記第２画面において、前記入力部を介して所定の入力操作を受け付けた場合に、前記検知部による前記第１経路または前記第２経路への切り替えが検知された場合には、前記第１表示制御手段による前記第１画面または前記第２画面の表示を制限する制限手段と、
を備え、
前記関連付け手段は、前記第１画面または前記第２画面において、前記入力部を介して前記所定の入力操作を受け付けたことを条件として、前記第１画像データと前記第２画像データとを関連付けることを特徴とする請求項２記載の画像読取装置。
【請求項４】
前記制御部は、
前記関連付け手段により関連付けられた前記第１画像データおよび前記第２画像データにそれぞれ基づく２つの画像を並べた画面を前記表示部に表示させる第２表示制御手段、を備え、
前記関連付け手段は、前記第１経路を搬送された原稿が前記読取部で読み取られた後、前記検知部により前記切り替えが検知された場合に、前記第２経路を搬送された原稿が前記読取部で読み取られたこと、あるいは、前記第２経路を搬送された原稿が前記読取部で読み取られた後、前記検知部により前記切り替えが検知された場合に、前記第１経路を搬送された原稿が前記読取部で読み取られたことを条件として、前記第１画像データと前記第２画像データとを関連付け、
前記第２表示制御手段は、前記第１経路を搬送された原稿の読み取り後に、前記第２経路を搬送された原稿を読み取った場合、または、前記第２経路を搬送された原稿の読み取り後に、前記第１経路を搬送された原稿を読み取った場合のいずれの場合でも、前記２つの画像を同じ並び順で並べた画面を前記表示部に表示させることを特徴とする請求項２または３に記載の画像読取装置。
【請求項５】
前記関連付け手段は、前記第１画像データのファイルおよび前記第２画像データのファイルに対し、それぞれ、少なくとも一部が共通するファイル名を付加することによって、前記第１画像データと前記第２画像データとを関連付けることを特徴とする請求項２から４のいずれかに記載の画像読取装置。
【請求項６】
前記関連付け手段は、前記第１画像データのファイルおよび前記第２画像データのファイルを、１のフォルダに格納することによって、前記第１画像データと前記第２画像データとを関連付けることを特徴とする請求項２から４のいずれかに記載の画像読取装置。
【請求項７】
前記関連付け手段は、前記第１画像データと前記第２画像データとを含む１のファイルを生成することによって、前記第１画像データと前記第２画像データとを関連付けることを特徴とする請求項２から４のいずれかに記載の画像読取装置。
【請求項８】
前記第２経路は、前記第１経路を搬送される原稿より大きなサイズの原稿を搬送可能であり、
前記所定の入力操作は、前記第１画面または前記第２画面のうち、前記第１画面において受け付け可能であり、
前記制御部は、
前記第１経路を搬送された原稿の読み取りが完了した後、前記検知部により前記切り替えが検知された場合に、前記入力部を介して所定の入力操作を受け付けていることを条件として、前記第２経路を搬送される原稿の読み取りの開始を許可する第１読取許可手段を、備えていることを特徴とする請求項３から７のいずれかに記載の画像読取装置。
【請求項９】
前記関連付け手段は、前記第１経路を搬送された原稿の読み取りが完了した後、前記検知部により前記切り替えが検知されてから所定時間が経過するまでの期間内に、前記第２経路を搬送された原稿の読み取りが完了した場合に、前記第１画像データと前記第２画像データとを関連付けることを特徴とする請求項２から８のいずれかに記載の画像読取装置。
【請求項１０】
前記第２経路は、前記第１経路を搬送される原稿より大きなサイズの原稿を搬送可能であり、
前記切替部は、前記第２経路を塞ぐことによって、原稿の搬送経路を前記第１経路に切り替えるものであり、
前記制御部は、
前記検知部により前記第１経路へ切り替えられていることが検知されたことを条件として、前記第１経路を搬送される原稿の読み取りの開始を許可する第２読取許可手段、を備えていることを特徴とする請求項２から９のいずれかに記載の画像読取装置。
【請求項１１】
前記関連付け手段は、前記第１経路を搬送された原稿が前記読取部で読み取られ、前記検知部により前記切り替えが検知され、前記第２経路を搬送された原稿が前記読取部で読み取られた後、前記検知部により前記切り替えが検知されて、前記第１経路を搬送された原稿が前記読取部で読み取られた場合、前記第２経路を搬送された原稿を読み取った後に前記第１経路を搬送された原稿に基づき前記画像生成手段により生成された第１画像データを、前記第２経路を搬送された原稿を読み取る前に前記第１経路を搬送された原稿に基づき前記画像生成手段により生成された第１画像データと同じ群の前記第１画像データとして、前記第２経路を搬送された原稿に基づき前記画像生成手段により生成された第２画像データとの関連付けを行うことを特徴とする請求項２から１０のいずれかに記載の画像読取装置。
【発明の詳細な説明】
【技術分野】
【０００１】
本発明は、画像読取装置に関する。
【背景技術】
【０００２】
従来より、例えば、特許文献１に記載される通信端末装置のように、ＡＤＦ（自動原稿供給装置）と、ＦＢＳ（フラットベッドスキャナ）との双方による原稿読み取りが可能な装置が知られている。
【先行技術文献】
【特許文献】
【０００３】
【特許文献１】特開平１０−６５８４２号公報
【発明の概要】
【発明が解決しようとする課題】
【０００４】
上記従来の装置は、ＡＤＦまたはＦＢＳによる原稿読み取りに基づいて生成された画像データは、互いに関連付けられることなく生成される。そのため、各画像データを互いに関連付けるには、関連付けの作業をユーザが行う必要があり、煩雑であった。
【０００５】
本発明は、上述した事情を鑑みてなされたものであり、異なる供給方法によって供給された原稿の読み取りに基づく各画像データを関連付けて出力できる画像読取装置を提供することを目的とする。
【課題を解決するための手段】
【０００６】
この目的を達成するために、本発明の画像読取装置は、第１の供給方法または前記第１の供給方法とは異なる第２の供給方法によって供給される原稿をそれぞれ読み取り可能な読取部と、前記第１の供給方法と前記第２の供給方法とを切り替える切替部と、前記切替部による切り替えを検知する検知部と、制御部とを備え、前記制御部は、前記第１の供給方法と前記第２の供給方法により供給され、前記読取部で読み取られた原稿に基づいて画像データを生成する画像生成手段と、前記第１の供給方法により供給された原稿が前記読取部で読み取られた後、前記検知部により前記切り替えが検知された場合に、前記第２の供給方法により供給された原稿が前記読取部で読み取られたことを条件として、前記第１の供給方法により供給された原稿に基づき前記画像生成手段により生成された第１画像データと、前記第２の供給方法により供給された原稿に基づき前記画像生成手段により生成された第２画像データと、を関連付ける関連付け手段と、前記関連付け手段により関連付けられた前記第１画像データおよび前記第２画像データを出力する出力手段と、を備えている。
【０００７】
本発明は、画像読取装置を制御する制御装置、画像読取システム、画像読取方法、画像読取プログラム、画像読取プログラムを記録する記録媒体など、種々の態様で実現可能である。
【発明の効果】
【０００８】
請求項１記載の画像読取装置によれば、第１の供給方法により供給された原稿が読取部で読み取られた後、第１の供給方法と第２の供給方法との切り替えが検知された場合に、第２の供給方法により供給された原稿が読取部で読み取られたことを条件として、第１の供給方法により供給された原稿に基づき生成された第１画像データと、第２の供給方法により供給された原稿に基づき生成された第２画像データとが関連付けられ、出力される。よって、切替部による原稿の供給方法の切り替えを行うことによって、第１の供給方法または第２の供給方法によって搬送される原稿の読み取りに基づく各画像データを、互いに関連付けた状態でユーザに提供できる。なお、特許請求の範囲における、出力手段による「出力」は、表示や、外部または内蔵の記憶媒体への出力（保存）、印刷などを含む。
【０００９】
請求項２記載の画像読取装置によれば、請求項１が奏する効果に加え、次の効果を奏する。第１経路を搬送された原稿が読取部で読み取られた後、読取部による読み取り対象の原稿の搬送経路を、第１経路と第２経路との切り替えが検知された場合に、第２経路を搬送された原稿が読取部で読み取られたことを条件として、第１経路を搬送された原稿に基づき生成された第１画像データと、第２経路を搬送された原稿に基づき生成された第２画像データとが関連付けられ、出力される。よって、切替部による搬送経路の切り替えを行うことによって、第１経路および第２経路をそれぞれ搬送される原稿の読み取りに基づく各画像データを、互いに関連付けた状態でユーザに提供できる。
【００１０】
請求項３記載の画像読取装置によれば、請求項２が奏する効果に加え、次の効果を奏する。第１経路への切り替えが検知された場合、第１画面が表示部に表示され、第２経路への切り替えが検知された場合、第２画面が表示部に表示される。第１画面または第２画面において、入力部を介して所定の入力操作を受け付けた場合に、第１経路または第２経路への切り替えが検知された場合には、当該切り替えに基づく第１画面または第２画面の表示が制限される。そして、第１画面または第２画面において、所定の入力操作を受け付けたことを条件として、第１画像データと第２画像データとの関連付けが行われる。よって、第１画面または第２画面に対する所定の入力操作に基づき、第１画像データと第２画像データとの関連付けを行うことができる。また、所定の入力操作を受け付けた場合には、搬送経路の切り替えが行われても、当該切り替えに基づく第１画面または第２画面の表示が制限されるので、所定の入力操作の受け付けた画面とは別の画面において、所定の入力操作が再度受け付けられることを防止できる。
【００１１】
請求項４記載の画像読取装置によれば、請求項２または３が奏する効果に加え、次の効果を奏する。第１経路を搬送された原稿の読み取り後に、第２経路を搬送された原稿を読み取った場合、または、第２経路を搬送された原稿の読み取り後に、第１経路を搬送された原稿を読み取った場合のいずれの場合でも、第１画像データおよび第２画像データにそれぞれ基づく２つの画像を同じ並び順で並べた画面が表示部に表示される。よって、読み取り順序の違いにかかわらず、同じ並び順での表示結果を表示できるので、ユーザの混乱を防止できる。
【００１２】
請求項５記載の画像読取装置によれば、請求項２から４のいずれかが奏する効果に加え、次の効果を奏する。第１画像データのファイルおよび第２画像データのファイルに対し、それぞれ、少なくとも一部が共通するファイル名を付加することによって、第１画像データと第２画像データとが関連付けられるので、別ファイルの両画像データをファイル名によって互いに関連付けることができる。
【００１３】
請求項６記載の画像読取装置によれば、請求項２から４のいずれかが奏する効果に加え、次の効果を奏する。第１画像データのファイルおよび第２画像データのファイルを、１のフォルダに格納することによって、第１画像データと第２画像データとが関連付けられるので、フォルダの単位で両画像データを関連付けることができる。
【００１４】
請求項７記載の画像読取装置によれば、請求項２から４のいずれかが奏する効果に加え、次の効果を奏する。第１画像データと第２画像データとを含む１のファイルを生成することによって、第１画像データと第２画像データとが関連付けられるので、ファイルの単位で両画像データを関連付けることができる。
【００１５】
請求項８記載の画像読取装置によれば、請求項３から７のいずれかが奏する効果に加え、次の効果を奏する、第１経路を搬送された原稿の読み取りが完了した後、当該第１経路に切り替えられたことによって表示される第１画面において受付可能な所定の入力操作を受け付けたことを条件として、第２経路を搬送される原稿の読み取りの開始が許可される。よって、第２経路を搬送される原稿の読み取りに先立ち、第１経路を搬送される原稿の読み取りを完了させることができるので、第１経路を搬送させるべき原稿を、当該原稿より大きなサイズの原稿を搬送可能な第２経路を搬送させてしまうことを防止でき、その結果、原稿詰まりなどの不具合の発生を防止できる。
【００１６】
請求項９記載の画像読取装置によれば、請求項２から８のいずれかが奏する効果に加え、次の効果を奏する。第１経路を搬送された原稿の読み取りが完了した後、切り替えが検知されてから所定時間が経過するまでの期間内に、第２経路を搬送される原稿の読み取り完了した場合に、第１画像データと第２画像データとが関連付けられるので、第１画像データと第２画像データとを関連付けようとするユーザの意図を反映できる。
【００１７】
請求項１０記載の画像読取装置によれば、請求項２から９のいずれかが奏する効果に加え、次の効果を奏する。第１経路へ切り替えられていることが検知されたことを条件として、第１経路を搬送される原稿の読み取りの開始が許可される。第２経路を塞ぐことによって、原稿の搬送経路が第１経路に切り替えられるので、第１経路を搬送させるべき原稿を、当該原稿より大きなサイズの原稿を搬送可能な第２経路を搬送させてしまうことを防止でき、その結果、原稿詰まりなどの不具合の発生を防止できる。
【００１８】
請求項１１記載の画像読取装置によれば、請求項２から１０のいずれかが奏する効果に加え、次の効果を奏する。第１画像データおよび第２画像データを生成した後に、第１経路を搬送された原稿に基づき生成された第１画像データを、先に生成した第１画像データに追加することができる。
【図面の簡単な説明】
【００１９】
【図１】（ａ）および（ｂ）は、それぞれ、ＣＤＳを、右前方および右後方から見た斜視図である。
【図２】ＣＤＳのカバーを開いた状態で右前方から見た斜視図である。
【図３】（ａ）および（ｂ）は、それぞれ、図１（ａ）のＩＩＩａ−ＩＩＩａ線および図２のＩＩＩｂ−ＩＩＩｂ線におけるＣＤＳの模式的な断面図である。
【図４】ＣＤＳの電気的構成を示すブロック図である。
【図５】メイン処理を示すフローチャートである。
【図６】（ａ）及び（ｂ）は、それぞれ、プレビュー表示処理および保存処理を示す
【図７】プレビュー画面の一例を示す模式図である。
【図８】（ａ）および（ｂ）は、それぞれ、第２実施形態および第３実施形態の保存処理を示すフローチャートである。
【図９】第４実施形態のメイン処理を示すフローチャートである。
【発明を実施するための形態】
【００２０】
以下、本発明の好ましい実施形態について、添付図面を参照して説明する。まず、図１〜図７を参照して、本発明の第１実施形態について説明する。図１（ａ）および（ｂ）は、それぞれ、本発明の画像読取装置の一実施形態であるコンパクトドキュメントスキャナ（以下「ＣＤＳ」と称す）１を、右前方および右後方から見た斜視図である。図１（ａ）および（ｂ）には、カバー３が、本体部２に対し閉じられた状態を図示する。なお、図１〜図３の各図において、ＣＤＳ１の上方を矢印Ｕで、下方を矢印Ｂｏで、前方を矢印Ｆで、後方を矢印Ｂａで、右方を矢印Ｒで、左方を矢印Ｌで表わしている。本実施形態のＣＤＳ１は、Ａ４普通紙などのシート状の原稿と、免許証やクレジットカードや名刺などのサイズの小さい厚手の原稿とを読み取り可能なスキャナ（画像読取装置）として構成される。以下、前者の原稿を「ドキュメント」と称し、後者の原稿を「カード」と称す。
【００２１】
ＣＤＳ１は、ドキュメントまたはカードを読み取る画像読取センサ１８（図３（ａ）および（ｂ）参照）を内蔵する本体部２と、本体部２に対し開閉可能に取り付けられたカバー３とを有する。本体部２の前面には、画像読取センサ１８により読み取ったドキュメントＤ（図２参照）またはカードＣを排出するための排出口２ａが設けられている。排出口２ａは、本体の右側に設けられた排出口２ａ１と、排出口２ａ１を一部共用し、本体部２の左右方向のほぼ全体に延びる排出口２ａ２とを含む。排出口２ａ１は、カードＣを排出するための排出口であり、排出口２ａ２は、ドキュメントＤを排出するための排出口である。そのため、排出口２ａ１および排出口２ａ２の上下方向高さは、それぞれ、排出対象であるカードＣおよびドキュメントＤの厚みを反映し、前者の方が後者に比べて高い。一方、本体部２の背面には、カードＣを本体部２に挿入するための挿入口２ｂが設けられている。挿入口２ｂに挿入されたカードＣは、第１経路Ｖ１（図３（ａ）参照）を搬送され、画像読取センサ１８に読み取られる。画像読取センサ１８に読み取られたカードＣは、排出口２ａ１から排出される。よって、本実施形態のＣＤＳ１は、カバー３を閉じた状態でカードＣを画像読取センサ１８に読み取らせることができる。
【００２２】
また、本体部２の上面には、各種情報を表示するＬＣＤ１６が設けられている。一方、カバー３には、カバー３を閉じた状態でＬＣＤ１６に対応する位置に開口３ｃが形成されている。よって、ユーザは、カバー３を閉じた状態であっても開口３ｃを介してＬＣＤ１６に表示された画面を視認することができる。ＬＣＤ１６には、タッチパネル１７が重ねられており、ユーザは、カバー３を閉じた状態であっても開口３ｃを介して、タッチパネル１７を指などによってタッチして、ＣＤＳ１に指示を入力できる。
【００２３】
カバー３は、第１カバー３ａと、第２カバー３ｂとを含む。第１カバー３ａは、ヒンジ（図示せず）を介して、回動軸Ｑ１を中心に回動可能に本体部２に取り付けられる。カバー３は、第１カバー３ａを、回動軸Ｑ１を中心に矢印Ｊａ方向に回転させることによって、本体部２に対して閉じることができる。第１カバー３ａは、カバー３を閉じた状態において、本体部２の上面を覆う。一方、第２カバー３ｂは、ヒンジ（図示せず）を介して、回動軸Ｑ２を中心に回動可能に第１カバー３ａに取り付けられる。カバー３を閉じる場合、第２カバー３ｂを、回動軸Ｑ２を中心に矢印Ｋａ方向に回転させることによって、第１カバー３ａに対して折り畳むことができる。よって、第２カバー３ｂは、カバー３を閉じた状態において、本体部２の前面のうち、排出口２ａより上方側を覆う。
【００２４】
図２は、ＣＤＳ１のカバー３を開いた状態で右前方から見た斜視図である。カバー３は、第１カバー３ａを、回動軸Ｑ１を中心に矢印Ｊｂ方向に回転させることによって、本体部２に対して開くことができる。カバー３を開く場合、第２カバー３ｂを、回動軸Ｑ２を中心に矢印Ｋｂ方向に回転させることによって、第１カバー３ａに対してさらに開くことができ、その結果、第２カバー３ｂの裏面３ｂ１と、第１カバー３ａの裏面３ａ１とを平らに合わせることができる。平らに合わされたこれら面３ａ１，３ｂ１は、読み取り対象とするドキュメントＤを載置する給紙トレイとして機能する。
【００２５】
本体部２の上面には、ドキュメントＤを本体部２に挿入するための挿入口２ｃが設けられている。載置台に載置されたドキュメントＤは、挿入口２ｃから挿入され、本体内部に形成された第２経路Ｖ２（図３（ｂ）参照）を搬送され、画像読取センサ１８に読み取られる。画像読取センサ１８に読み取られたドキュメントＤは、排出口２ａ２（排出口２ａ）から排出される。図２に示すように、挿入口２ｃは、カバー３を開くことによって露出される。よって、本実施形態のＣＤＳ１は、カバー３を開いた状態に限って、ドキュメントＤを画像読取センサ１８に読み取らせることができる。
【００２６】
図３（ａ）は、図１（ａ）のＩＩＩａ−ＩＩＩａ線におけるＣＤＳ１の模式的な断面図である。つまり、カバー３が閉じられた状態にあるＣＤＳ１の断面図を、図３（ａ）に示す。本実施形態のＣＤＳ１は、カバー３（３ａ，３ｂ）を閉じた状態において、挿入口２ｂから挿入されたカードＣを読み取り可能に構成される。本体部２には、挿入口２ｂから延びる経路１０１と、経路１０１に連設されて排出口２ａ２（排出口２ａ）まで延びる経路１０２とが設けられる。経路１０２の経路１０１側には、一対の搬送ローラ１０４，１０５が、互いに圧接された状態でそれぞれ回動可能に設けられる。
【００２７】
搬送ローラ１０４，１０５は、駆動モータ１９（図４参照）により回動され、この回動力によってカードＣを排出口２ａ２側へ搬送する。一方、経路１０２の排出口２ａ２側には、一対の排紙ローラ１０６，１０７が、互いに圧接された状態でそれぞれ回動可能に設けられる。排紙ローラ１０６，１０７もまた、駆動モータ１９により回動され、この回動力によってカードＣを排出口２ａ２側から排出する。挿入口２ｂの近傍に設けられたカード検知センサ２１が設けられており、挿入口２ｂから挿入されたカードＣは、カード検知センサ２１に検出されたことを条件として、搬送ローラ１０４，１０５によって挟持される（ニップされる）。よって、挿入口２ｂから挿入されてカード検知センサ２１により検知されたカードＣは、搬送ローラ１０４，１０５によって挟持され、搬送ローラ１０４，１０５の回動によって排出口２ａ２側へ搬送される。次に、搬送ローラ１０４，１０５によって搬送されるカードＣは、排紙ローラ１０６，１０７によって挟持され、排紙ローラ１０６，１０７の回動によって排出口２ａ２から排出される。
【００２８】
搬送ローラ１０４，１０５と排紙ローラ１０６，１０７との間には、経路１０２を通過するカードＣの面の画像読み取りを行うことが可能な画像読取センサ１８が設けられる。本実施形態では、画像読取センサ１８として、カードＣの一方の面（例えば、表面）の画像を読み取るための第１画像読取センサ１８ａと、他方の面（例えば、裏面）の画像を読み取るための第２画像読取センサ１８ｂとが設けられている。よって、挿入口２ｂから挿入されたカードＣは、経路１０１と経路１０２とからなる第１経路Ｖ１を通過し、少なくとも一方の面の画像を画像読取センサ１８（１８ａ，１８ｂ）で読み取った後、排出口２ａ２から排出される。第１経路Ｖ１は、挿入口２ｂから排出口２ａ１まで略水平に形成されているので、厚手なカードＣであってもスムースに搬送することができ、原稿詰まりを起こし難い。
【００２９】
図３（ｂ）は、図２のＩＩＩｂ−ＩＩＩｂ線におけるＣＤＳ１の模式的な断面図である。つまり、カバー３が開かれた状態にあるＣＤＳ１の断面図を、図３（ｂ）に示す。本体部２には、ドキュメントＤを挿入するための挿入口２ｃが設けられており、挿入口２ｃは、カバー３を開いた場合に露出されて使用可能となる。このように、本実施形態のＣＤＳ１は、カバー３（３ａ，３ｂ）を開いた状態において、挿入口２ｃから挿入されたドキュメントＤを読み取り可能に構成される。本体部２には、挿入口２ｃから延びる経路１０３が設けられており、経路１０３は、経路１０２に連設される。図３（ｂ）に示す通り、ドキュメント用の経路１０３、および、上述したカード用の経路１０１は、合流部１０９において合流し、それぞれが、経路１０２に接続される。つまり、経路１０２は、ドキュメントＤおよびカードＣの両方を搬送する共用の搬送経路である。
【００３０】
経路１０３には、給紙ローラ１０８が設けられる。給紙ローラ１０８は、駆動モータ１９（図４参照）により回動され、この回動力によって、給紙トレイとして機能するカバー３に載置されたドキュメントＤを経路１０３に案内する。給紙経路１０３に案内されたドキュメントＤは、搬送ローラ１０４，１０５によって挟持され、搬送ローラ１０４，１０５の回動によって排出口２ａ２（排出口２ａ）側へ搬送される。次に、搬送ローラ１０４，１０５によって搬送されるドキュメントＤは、排紙ローラ１０６，１０７によって挟持され、排紙ローラ１０６，１０７の回動によって排出口２ａ２から排出される。よって、挿入口２ｃから挿入されたドキュメントＤは、経路１０３と経路１０２とからなる第２経路Ｖ２を通過し、少なくとも一方の面の画像を画像読取センサ１８（１８ａ，１８ｂ）で読み取った後、排出口２ａ２から排出される。
【００３１】
上述した通り、本実施形態のＣＤＳ１は、カバー３を閉じた状態で、挿入口２ｂから挿入されたカードＣを読み取り、カバー３を開いた状態で、挿入口２ｃから挿入されたドキュメントＤを読み取るスキャナとして構成される。詳細は後述するが、本実施形態のＣＤＳ１は、カードＣの読み取りによる画像データと、ドキュメントＤの読み取りによる画像データと互いに関連付けることができるモード（関連付けモード）を有している。
【００３２】
図４は、ＣＤＳ１の電気的構成を示すブロック図である。ＣＤＳ１には、ＣＰＵ１１、フラッシュメモリ１２、ＲＡＭ１３、ＬＣＤ１６、タッチパネル１７、画像読取センサ１８、駆動モータ１９、カバー開閉検知センサ２０、カード検知センサ２１、ドキュメント検知センサ２２、ＵＳＢインターフェイス（ＵＳＢ＿Ｉ／Ｆ）２３、ネットワークインターフェイス（ネットワークＩ／Ｆ）２４が主に設けられる。これらの各部１１〜１３，１６〜２４は、バスライン２５を介して互いに接続される。
【００３３】
ＣＰＵ１１は、フラッシュメモリ１２に記憶される固定値やプログラム、ＲＡＭ１３に記憶されているデータに従って、ＣＤＳ１の各部を制御する。フラッシュメモリ１２は、不揮発性のメモリであり、ＣＤＳ１の動作を制御する制御プログラム１２ａが格納される。後述する図５および図６のフローチャートに示す各処理は、制御プログラム１２ａに従いＣＰＵ１１により実行される。また、フラッシュメモリ１２には、設定されている読み取り解像度などの読取設定値や、設定されている読取モードなども記憶される。
【００３４】
ＲＡＭ１３は、ＣＰＵ１１の処理に必要な情報を一時的に記憶する書換可能な揮発性のメモリである。ＲＡＭ１３には、カード画像領域１３ａと、ドキュメント画像領域１３ｂとが設けられる。カード画像領域１３ａは、挿入口２ｂから挿入されたカードＣを画像読取センサ１８により読み取った場合の読取画像データ（以下「カード画像データ」と称す）が記憶される領域である。ドキュメント画像領域１３ｂは、挿入口２ｃから挿入されたドキュメントＤを画像読取センサ１８により読み取った場合の読取画像データ（以下「ドキュメント画像データ」と称す）が記憶される領域である。なお、カード画像領域１３ａおよびドキュメント画像領域１３ｂは、ＣＤＳ１への電源投入時、ならびに、これらの領域１３ａ，１３ｂに記憶されるカード画像データまたはドキュメント画像データがＵＳＢメモリに保存された場合にクリアされる。
【００３５】
ＬＣＤ１６は液晶表示装置である。タッチパネル１７は、指や棒などの指示体を接触または接近させることによって、ＣＤＳ１に指示などを入力する。画像読取センサ１８（第１画像読取センサ１８ａ，第２画像読取センサ１８ｂ）は、画像の濃淡を光学的に検出して画像を読み取るセンサである。画像読取センサ１８としては、例えば、ＣＩＳ（Ｃｏｎｔａｃｔ  Ｉｍａｇｅ  ｓｅｎｓｏｒ）や、ＣＣＤ（Ｃｈａｒｇｅ  Ｃｏｕｐｌｅｄ  Ｄｅｖｉｃｅ）などの周知のセンサを採用できる。駆動モータ１９は、各ローラ１０４〜１０８をそれぞれ回動させる駆動力を与えるモータである。ＵＳＢ＿Ｉ／Ｆ２３は、ＵＳＢプラグを介して、例えば、ＵＳＢメモリなどの記憶媒体や、パーソナルコンピュータ（ＰＣ）やハードディスクなどの他の装置を通信可能に接続するための装置であり、周知の装置で構成される。ネットワーク＿Ｉ／Ｆ２４は、ＣＤＳ１を、ＬＡＮやインターネットなどのネットワーク（図示せず）に接続するためのインターフェイスである。
【００３６】
カバー開閉検知センサ２０は、カバー３の開閉状態を検知するセンサであり、カバー３が開かれているか、閉じられているかに応じた信号をＣＰＵ１１に出力する。カバー開閉検知センサ２０は、例えば、カバー３が閉じられている場合に、ハイの信号をＣＰＵ１１に出力する。ＣＰＵ１１は、カバー開閉検知センサ２０から入力された信号に基づき、カバー３の開閉状態を判断する。カバー開閉検知センサ２０としては、光学的センサや、接触式センサや、磁気センサなどの周知のセンサを採用できる。カード検知センサ２１は、挿入口２ｂに挿入されたカードＣを検知するセンサである。カード検知センサ２１は、例えば、光学的センサなどの周知のセンサを採用でき、例えば、カードＣが挿入口２ｂに挿入されると、ハイの信号をＣＰＵ１１に出力する。ＣＰＵ１１は、カード検知センサ２１から入力された信号に基づき、カードＣが挿入されたことを判断する。ドキュメント検知センサ２２は、開かれたカバー３からなる給紙トレイ上に載置されたドキュメントＤを検知するセンサである。ドキュメント検知センサ２２は、例えば、接触式センサなどの周知のセンサを採用でき、例えば、ドキュメントＤが給紙トレイ上に載置されると、ハイの信号をＣＰＵ１１に出力する。ＣＰＵ１１は、ドキュメント検知センサ２２から入力された信号に基づき、ドキュメントＤが給紙トレイ上に載置されたことを判断する。
【００３７】
図５は、ＣＤＳ１のＣＰＵ１１が実行するメイン処理を示すフローチャートである。本処理は、ＣＤＳ１に電源が投入された場合に開始される。まず、ステップＳ５０１（以下、ステップを省略）において、ＣＰＵ１１は、カバー開閉検知センサ２０から入力された信号に基づいて、カバー３が開かれた状態であるかを判断する。カバー３が閉じられた状態であるとＣＰＵ１１が判断した場合（Ｓ５０１：Ｎｏ）、ＣＰＵ１１は、カードスキャン設定画面（図示せず）をＬＣＤ１６に表示させる（Ｓ５０２）。
【００３８】
Ｓ５０２によりＣＰＵ１１に表示されるカードスキャン設定画面には、設定中の読取モード及び読み取り時の読取設定値が表示される。ＣＤＳ１は、読取モードとして、通常モードと、関連付けモードとが準備される。通常モードは、１回のスキャン開始トリガに対するカードＣまたはドキュメントＤの読取画像データから、読取設定値により指定された形式の画像ファイルを生成するモードである。一方、関連付けモードは、連続して読み取られたカードＣおよびドキュメントＤの各読取画像データを互いに関連付けるモードである。ユーザは、カードスキャン設定画面に表示された読取モードに対し、タッチ操作など、タッチパネル１７を介した所定の入力操作を行うことによって、読取モードを任意に変更できる。カードスキャン設定画面に表示される読取設定値は、例えば、読み取り解像度、ファイル形式、ファイルサイズなどである。カードスキャン設定画面には、設定中の読取モードに応じた読取設定値が表示される。例えば、設定中の読取モードが通常モードである場合には、カードＣを読み取る際の読取設定値が表示され、設定中の読取モードが関連付けモードである場合には、カードＣを読み取る際の読取設定値と、ドキュメントＤを読み取る際の読取設定値とがそれぞれ表示される。
【００３９】
一方、カバー３が開かれた状態であるとＣＰＵ１１が判断した場合（Ｓ５０１：Ｙｅｓ）、ＣＰＵ１１は、ドキュメントスキャン設定画面（図示せず）をＬＣＤ１６に表示させる（Ｓ５１６）。Ｓ５１６によりＣＰＵ１１に表示されるドキュメントスキャン設定画面には、上述したカードスキャン設定画面と同様に、設定中の読取モードと、読み取り時の読取設定値とが表示される。ドキュメントスキャン設定画面に表示される読取設定値は、設定中の読取モードが通常モードである場合に、ドキュメントＤを読み取る際の読取設定値であること以外、カードスキャン設定画面と同様の読取設定値が表示される。
【００４０】
カードスキャン設定画面またはドキュメントスキャン設定画面に対する入力操作をＣＰＵ１１が受け付けていない場合（Ｓ５０３：Ｎｏ）、ＣＰＵ１１は、入力操作の受け付けを待機する。そして、ＣＰＵ１１が入力操作を受け付けた場合（Ｓ５０３：Ｙｅｓ）、ＣＰＵ１１は、受け付けた入力を設定する（Ｓ５０４）。例えば、読取モードを関連付けモードに設定するための入力操作をＣＰＵ１１が受け付けた場合、ＣＰＵ１１は、読取モードを関連付けモードに設定する。次に、ＣＰＵ１１は、カード検知センサ２１またはドキュメント検知センサ２２から入力された信号に基づいて、原稿（カードＣまたはドキュメントＤ）の挿入が検出されたかを判断する（Ｓ５０５）。原稿の挿入が検出されていないとＣＰＵ１１が判断した場合（Ｓ５０５：Ｎｏ）、ＣＰＵ１１は、カバー検知センサ２０から入力された信号に基づいて、カバー３の開閉が検出されたかを判断する（Ｓ５１７）。カバー３の開閉が検出されていないとＣＰＵ１１が判断した場合（Ｓ５１７：Ｎｏ）、ＣＰＵ１１は、処理をＳ５０５に移行する。
【００４１】
カバー３の開閉が検出されたとＣＰＵ１１が判断し、かつ、設定されている読取モードが関連付けモードでない場合（Ｓ５１７：Ｙｅｓ，Ｓ５１８：Ｎｏ）、カバー３の開閉が、閉じた状態から開いた状態への移行であれば（Ｓ５１９：Ｙｅｓ）、ＣＰＵ１１は、処理をＳ５１６に移行し、ドキュメントスキャン設定画面をＬＣＤ１６に表示させる。また、カバー３の開閉が、開いた状態から閉じた状態への移行であれば（Ｓ５１９：Ｎｏ）、ＣＰＵ１１は、処理をＳ５０２に移行し、カードスキャン設定画面をＬＣＤ１６に表示させる。その一方で、カバー３の開閉が検出されたとＣＰＵ１１が判断し、かつ、設定されている読取モードが関連付けモードである場合（Ｓ５１７：Ｙｅｓ，Ｓ５１８：Ｙｅｓ）、ＣＰＵ１１は、処理をＳ５０５に移行する。つまり、読取モードが関連付けモードに設定されている場合には、その後にカバー３の開閉状態が変化しても、ＬＣＤ１６に表示される画面の変更が制限され、表示中の画面が維持される。よって、表示中の画面（すなわち、読取モードを関連付けモードに設定した画面）とは別の画面において、読取モードを関連付けモードに設定する操作が再度受け付けられることを防止できる。
【００４２】
Ｓ５０５において、原稿の挿入が検出されたとＣＰＵ１１が判断した場合（Ｓ５０５：Ｙｅｓ）、ＣＰＵ１１は、読取処理を実行する（Ｓ５０６）。具体的に、Ｓ５０６において、ＣＰＵ１１は、挿入された原稿を、搬送ローラ１０４，１０５によって、画像読取センサ１８による読取位置まで搬送し、原稿を画像読取センサ１８（１８ａ，１８ｂ）で読み取り、当該読み取りに基づき生成された読取画像データ（カード画像データまたはドキュメント画像データ）を、カード画像領域１３ａまたはドキュメント画像領域１３ｂに、読取順を区別可能に記憶する。なお、本実施形態では、関連付けモードでは、各原稿（カードＣ，ドキュメントＤ）の片面を読み取るものとする。
【００４３】
カバー３の開閉が検出されていないとＣＰＵ１１が判断し、ユーザによる読み取り終了を指示する入力をＣＰＵ１１が受け付けた場合（Ｓ５０７：Ｎｏ，Ｓ５２０：Ｙｅｓ）、ＣＰＵ１１は、Ｓ５０６の読取処理によってカード画像領域１３ａまたはドキュメント画像領域１３ｂに記憶された画像データを、読取設定値に従うファイル形式に変換し、ＵＳＢ＿Ｉ／Ｆ２３に接続されたＵＳＢメモリ（図示せず）に保存し（Ｓ５２１）、処理をＳ５０１に移行する。また、カバー３の開閉が検出されたとＣＰＵ１１が判断した場合（Ｓ５０７：Ｙｅｓ）、設定されている読取モードが関連付けモードでなければ（Ｓ５０８：Ｎｏ）、ＣＰＵ１１は、処理をＳ５２１に移行する。一方、読み取り終了を指示する入力をＣＰＵ１１が受け付けていない場合（Ｓ５２０：Ｎｏ）、原稿の挿入が検出されていないとＣＰＵ１１が判断すれば（Ｓ５２２：Ｎｏ）、ＣＰＵ１１は、処理をＳ５０７に移行する。また、原稿の挿入が検出されたとＣＰＵ１１が判断した場合（Ｓ５２２：Ｙｅｓ）、ＣＰＵ１１は、処理をＳ５０６に移行し、次の原稿について読取処理を実行する。
【００４４】
Ｓ５０８において、設定されている読取モードが関連付けモードである場合（Ｓ５０８：Ｙｅｓ）、Ｓ５０７でのカバー３の開閉検出から所定時間（例えば、５分）が経過していれば（Ｓ５０９：Ｙｅｓ）、ＣＰＵ１１は、Ｓ５０６の読取処理によってカード画像領域１３ａまたはドキュメント画像領域１３ｂに記憶された画像データを、原稿の種類に応じた読取設定値に従うファイル形式に変換し、ＵＳＢ＿Ｉ／Ｆ２３に接続されたＵＳＢメモリに保存し（Ｓ５２４）、処理をＳ５０１に移行する。
【００４５】
Ｓ５０９において、Ｓ５０７でのカバー３の開閉検出から所定時間が経過していない場合（Ｓ５０９：Ｎｏ）、原稿の挿入が検出されていないとＣＰＵ１１が判断すれば（Ｓ５１０：Ｎｏ）、ＣＰＵ１１は、処理をＳ５０９に移行する。一方、原稿の挿入が検出されたとＣＰＵ１１が判断した場合（Ｓ５１０：Ｙｅｓ）、Ｓ５０６と同様の読取処理を実行する（Ｓ５１１）。Ｓ５１１の読取処理により生成された画像データは、Ｓ５０６の読取処理により生成された画像データと関連付けられた状態で、プレビュー画像として表示されたり、ＵＳＢメモリに記憶される。本実施形態のＣＤＳ１によれば、Ｓ５１１の読取処理は、カバー３が開閉されてから所定時間が経過するまでの期間内であることを条件として実行される。Ｓ５０６での読取処理後、カバー３の開閉が検出されてからの期間が長くなるにつれて、カード画像データとドキュメント画像データとを関連付けるユーザの意図は薄くなる傾向にある。よって、Ｓ５０６での読取処理後、カバー３の開閉が検出されてからの期間に応じて、Ｓ５１１の読取処理を実行するか否かを切り分けたことにより、ユーザの意図を反映できる。
【００４６】
次に、カバー３の開閉が検出されたとＣＰＵ１１が判断した場合（Ｓ５１２：Ｙｅｓ）、ＣＰＵ１１は、処理をＳ５２６に移行する。原稿の挿入が検出されたとＣＰＵ１１が判断した場合（Ｓ５２６：Ｙｅｓ）、処理をＳ５１１に移行する。Ｓ５２６において、原稿の挿入が検出されたとＣＰＵ１１が判断したことを条件として（Ｓ５２６：Ｙｅｓ）、挿入が検出された原稿についてＳ５１１の読取処理が実行されるが、この場合に実行される読取処理（Ｓ５１１）では、生成された読取画像データを、カード画像領域１３ａおよびドキュメント画像領域１３ｂのうち、Ｓ５０６において生成された読取画像データが記憶された画像領域に追加して記憶する。つまり、本実施形態のＣＤＳ１は、カバー３が開かれた状態と閉じられた状態とでそれぞれ原稿（カードＣまたはドキュメントＤ）を読み取った後、カバー３の開閉状態をＳ５０６での読取処理時の状態に戻すことによって、Ｓ５０６において読み取った原稿の読取画像データに、Ｓ５１１において新たに読み取った原稿の読取画像データを追加できる。一方、原稿の挿入が検出さていないとＣＰＵ１１が判断した場合（Ｓ５２６：Ｎｏ）、処理をＳ５１３に移行する。
【００４７】
一方、カバー３の開閉が検出されていないとＣＰＵ１１が判断し、ユーザによる読み取り終了を指示する入力をＣＰＵ１１が受け付けていない場合（Ｓ５１２：Ｎｏ，Ｓ５１３：Ｎｏ）、原稿の挿入が検出されていないとＣＰＵ１１が判断すれば（Ｓ５２５：Ｎｏ）、ＣＰＵ１１は、処理をＳ５１２に移行する。原稿の挿入が検出されたとＣＰＵ１１が判断した場合（Ｓ５２５：Ｙｅｓ）、ＣＰＵ１１は、処理をＳ５１１に移行し、次の原稿について読取処理を実行する。Ｓ５１３において、読み取り終了を指示する入力をＣＰＵ１１が受け付けた場合（Ｓ５１３：Ｙｅｓ）、ＣＰＵ１１は、Ｓ５０６およびＳ５０７において生成された読取画像データに基づく画像をＬＣＤ１６にプレビュー表示するプレビュー表示処理を実行し（Ｓ５１４）、カード画像データとドキュメント画像データとを関連付けて、ＵＳＢ＿Ｉ／Ｆ２３に接続されたＵＳＢメモリに保存する保存処理を実行し（Ｓ５１５）、本処理を終了する。なお、プレビュー表示処理（Ｓ５１４）および保存処理（Ｓ５１５）の具体的な処理は、それぞれ、図６（ａ）および（ｂ）を参照して後述する。
【００４８】
図６（ａ）は、上述したプレビュー表示処理（Ｓ５１４）を示すフローチャートである。ＣＰＵ１１は、プレビュー画面５０（図７参照）をＬＣＤ１６に表示させる（Ｓ６０１）。プレビュー画面５０は、カード画像データに基づく画像（以下「カード画像」と称す）とドキュメント画像データに基づく画像（以下「ドキュメント画像」と称す）とを並べてプレビュー表示する画面である。つまり、Ｓ６０１の処理によれば、関連付けモードでの読み取りによって得られたカード画像とドキュメント画像が、プレビュー画面５０において互いに関連付けられた状態で表示される。なお、詳細は図７を参照して後述するが、Ｓ６０１において、ＣＰＵ１１は、プレビュー画面５０の左側にカード画像を表示させ、右側にドキュメント画像を表示させる。ユーザは、プレビュー画面５０に表示されたカード画像とドキュメント画像を確認しながら、関連付け対象とするカード画像およびドキュメント画像を選択できる。
【００４９】
ユーザによる追加読取を指示する入力をＣＰＵ１１が受け付けておらず、プレビュー画面５０の表示終了を指示する入力をＣＰＵ１１が受け付けた場合（Ｓ６０２：Ｎｏ，Ｓ６１２：Ｙｅｓ）、ＣＰＵ１１は、本処理を終了する。一方、プレビュー画面５０の表示終了を指示する入力をＣＰＵ１１が受け付けていない場合（Ｓ６１２：Ｎｏ）、ＣＰＵ１１は、処理をＳ６０２に移行する。一方、追加読取を指示する入力をＣＰＵ１１が受け付け、その追加読取の対象がカードＣである場合（Ｓ６０２：Ｙｅｓ、Ｓ６０３：Ｙｅｓ）、ＣＰＵ１１は、カバー開閉検知センサ２０から入力された信号に基づいて、カバー３が開かれた状態であるかを判断する（Ｓ６０４）。カバー３が閉じられた状態である場合（Ｓ６０４：Ｎｏ）、ＣＰＵ１１は、処理をＳ６０７に移行する。カバー３が開かれた状態であるとＣＰＵ１１が判断した場合（Ｓ６０４：Ｙｅｓ）、ＣＰＵ１１は、カバー３を閉じる旨を示すメッセージをＬＣＤ１６に表示させる（Ｓ６０５）。カバー開閉検知センサ２０から入力された信号に基づいて、カバー３が閉じられた状態にないとＣＰＵ１１が判断した場合（Ｓ６０６：Ｎｏ）、ＣＰＵ１１は、カバー３が閉じられた状態が検出されるまで待機する。一方、カバー３が閉じられた状態であるとＣＰＵ１１が判断した場合（Ｓ６０６：Ｙｅｓ）、ＣＰＵ１１は、処理をＳ６０７に移行する。この場合、ＣＰＵ１１は、Ｓ６０５で表示したメッセージを消去し、元のプレビュー画面５０に戻す。
【００５０】
Ｓ６０３において、追加読取の対象がカードＣでなくドキュメントＤである場合（Ｓ６０３：Ｎｏ）、ＣＰＵ１１は、カバー開閉検知センサ２０から入力された信号に基づいて、カバー３が閉じられた状態であるかを判断する（Ｓ６１３）。カバー３が開かれた状態である場合（Ｓ６１３：Ｎｏ）、ＣＰＵ１１は、処理をＳ６０７に移行する。カバー３が閉じられた状態であるとＣＰＵ１１が判断した場合（Ｓ６１３：Ｙｅｓ）、ＣＰＵ１１は、カバー３を開ける旨を示すメッセージをＬＣＤ１６に表示させる（Ｓ６１４）。カバー開閉検知センサ２０から入力された信号に基づいて、カバー３が開かれた状態にないとＣＰＵ１１が判断した場合（Ｓ６１５：Ｎｏ）、ＣＰＵ１１は、カバー３が開かれた状態が検出されるまで待機する。一方、カバー３が開かれた状態であるとＣＰＵ１１が判断した場合（Ｓ６１５：Ｙｅｓ）、ＣＰＵ１１は、処理をＳ６０７に移行する。この場合、ＣＰＵ１１は、Ｓ６１４で表示したメッセージを消去し、元のプレビュー画面５０に戻す。
【００５１】
Ｓ６０７において、カード検知センサ２１またはドキュメント検知センサ２２から入力された信号に基づいて、読取対象の原稿（カードＣまたはドキュメントＤ）の挿入が検出されたかを判断する（Ｓ６０７）。原稿の挿入が検出されていないとＣＰＵ１１が判断すれば（Ｓ６０７：Ｎｏ）、ＣＰＵ１１は、処理をＳ６０７に戻す。一方、原稿の挿入が検出されたとＣＰＵ１１が判断した場合（Ｓ６０７：Ｙｅｓ）、Ｓ５０６と同様の読取処理を実行する（Ｓ６０８）。ただし、Ｓ６０８では、生成された読取画像データを、カード画像領域１３ａおよびドキュメント画像領域１３ｂのうち、読取対象の原稿に応じた画像領域に追加して記憶する。つまり、本実施形態のＣＤＳ１は、プレビュー表示画面５０の表示中に、ユーザによる追加読取を指示する入力をＣＰＵ１１が受け付けた場合には、Ｓ６０８において新たに読み取った原稿の読取画像データを、プレビュー画面５０の表示前に読み取った読取画像データに追加できる。
【００５２】
次に、カバー開閉検知センサ２０から入力された信号に基づいて、カバー３の開閉が検出されたとＣＰＵ１１が判断した場合（Ｓ６０９：Ｙｅｓ）、ＣＰＵ１１は、処理をＳ６０７に戻す。Ｓ６０９においてＣＰＵ１１がＹｅｓと判断し、処理がＳ６０７に移行された場合、原稿の挿入が検出されたとＣＰＵ１１が判断したことを条件として、挿入が検出された原稿についてＳ５１１の読取処理が実行される。よって、Ｓ６０９においてカバー３の開閉が検出される直前に追加した読取画像データとは、異なる原稿の読取画像データの追加を行うことができる。
【００５３】
カバー３の開閉が検出されていないとＳ６０９においてＣＰＵ１１が判断し、ユーザによる追加読取の終了を指示する入力をＣＰＵ１１が受け付けていない場合（Ｓ６０９：Ｎｏ，Ｓ６１１：Ｎｏ）、ＣＰＵ１１は、処理をＳ６０９に戻す。一方、追加読取の終了を指示する入力をＣＰＵ１１が受け付けた場合（Ｓ６１１：Ｙｅｓ）ＣＰＵ１１は、処理をＳ６０２に戻す。
【００５４】
図６（ｂ）は、上述した保存処理（Ｓ５１５）を示すフローチャートである。ＣＰＵ１１は、カード画像領域１３ａに記憶されるカード画像データを、読取設定値により指定された形式のファイルに変換する（Ｓ６２１）。このとき、指定された形式がＪｐｅｇやｂｐｍなどのマルチページ対応でない形式である場合、各カード画像データについて、それぞれ１のファイルが生成される。一方、指定された形式がｐｄｆやｔｉｆｆなどのマルチページ対応の形式である場合、全カード画像データから、１のファイルが生成される。
【００５５】
次に、ＣＰＵ１１は、ファイル名を「ｘｘｘ＿Ｃａｒｄ＿ｎｎｎ．○○」として、ＵＳＢ＿Ｉ／Ｆ２３に接続されたＵＳＢメモリに保存する（Ｓ６２２）。上記ファイル名において、末尾の「○○」は、生成されたファイル形式に従う拡張子である。「Ｃａｒｄ」は、カード画像のファイルであることを示す文字列である。ユーザは、ファイル名に文字列「Ｃａｒｄ」が含まれていることによって、当該ファイルがカード画像のファイルであることを識別できる。「ｎｎｎ」には、ファイルの順序を規定する連番、例えば、「００１」を先頭とする３桁数字の連番が付される。ｊｐｅｇなどのファイルが複数生成された場合、ユーザは、ファイル名に含まれる文字列「ｎｎｎ」が示す値によって、カード画像の各ファイルを区別できる。ファイル名の先頭の「ｘｘｘ」には、関連付けの対象とするドキュメント画像のファイルと関連付け可能な共通の文字列が付される。例えば、読取処理を実行した日付（例えば、２０１２１００４）が「ｘｘｘ」の部分に付される。「ｘｘｘ」として付加する文字列としては、予めユーザが指定した文字列であってもよい。
【００５６】
ＣＰＵ１１は、ドキュメント画像領域１３ｂに記憶されるカード画像データを、Ｓ６２１と同様に、読取設定値により指定された形式のファイルに変換する（Ｓ６２３）。次に、ＣＰＵ１１は、ファイル名を「ｘｘｘ＿Ｄｏｃｕｍｅｎｔ＿ｎｎｎ．○○」として、ＵＳＢ＿Ｉ／Ｆ２３に接続されたＵＳＢメモリに保存し（Ｓ６２４）、本処理を終了する。
【００５７】
上記ファイル名において、「Ｄｏｃｕｍｅｎｔ」以外の部分については、上述したカード画像のファイル名と同様の文字列が付される。「Ｄｏｃｕｍｅｎｔ」は、ドキュメント画像のファイルであることを示す文字列である。ユーザは、ファイル名に文字列「Ｄｏｃｕｍｅｎｔ」が含まれていることによって、当該ファイルがドキュメント画像のファイルであることを識別できる。また、Ｓ６２３において生成されたドキュメント画像のファイルのファイル名と、Ｓ６２１において生成されたカード画像のファイルのファイル名とには、それぞれ、先頭に共通する文字列「ｘｘｘ」が付されており、ユーザは、この文字列「ｘｘｘ」が一致するか否かによって、カード画像のファイルと、ドキュメント画像のファイルとが互いに関連付けられているファイルであるか否かを区別できる。つまり、本実施形態のＣＤＳ１によれば、関連付けモードでの読み取りによって得られたカード画像およびドキュメント画像の各ファイルに共通する文字列「ｘｘｘ」を付加することによって、互いのファイルが関連付けられた状態でＵＳＢメモリに保存される。
【００５８】
図７は、プレビュー画面５０の一例を示す模式図である。図７に示すように、ＬＣＤ１６に表示されるプレビュー画面５０は、左側の表示領域５1と、右側の表示領域５２との２領域を有する。表示領域５１は、関連付けモードでの読み取りにより得られたカード画像Ｉｃが表示される。表示領域５１には、ボタン５１ａとボタン５１ｂが表示される。ボタン５１ａは、カード画像領域１３ａに記憶されているカード画像データのうち、表示中のカード画像Ｉｃの次のカード画像が存在する場合に、表示領域５1に表示させるカード画像を当該次のカード画像に切り替えることを指示するボタンである。一方、ボタン５１ｂは、カード画像領域１３ａに記憶されているカード画像データのうち、表示中のカード画像Ｉｃより１つ前のカード画像が存在する場合に、表示領域５1に表示させるカード画像Ｉｃを当該１つ前のカード画像に切り替えることを指示するボタンである。よって、ユーザがボタン５１ａ，５１ｂを適宜タッチすることにより、表示領域５1に表示させるカード画像Ｉｃを切り替えることができる。表示領域５１には、表示中のカード画像Ｉｃを保存対象として選択するためのボックス５１ｃが表示される。ユーザがボックス５１ｃをタッチする毎に、チェック５１ｃ１の表示と消去とが交互に行われる。ボックス５１ｃにチェック５１ｃ１が表示されている場合、当該チェック５１ｃ１とともに表示中のカード画像Ｉｃが保存対象として選択される。一方、表示中のカード画像Ｉｃを保存対象として選択しない場合、ボックス５１ｃにチェック５１ｃ１が表示されない状態にすればよい。
【００５９】
表示領域５２は、関連付けモードでの読み取りにより得られたドキュメント画像Ｉｄが表示される。表示領域５２には、ボタン５２ａとボタン５２ｂとボックス５２ｃとが表示される。ボタン５２ａおよびボタン５２ｂは、表示の切り換え対象がドキュメント画像領域１３ｂに記憶されているドキュメント画像データであること以外、それぞれ、上述したボタン５１ａおよびボタン５１ｂと同様に機能するボタンである。ボックス５２ｃもまた、対象がドキュメント画像Ｉｄである以外、上述したボックス５１ｃと同様に機能する。なお、図７に示す例では、ボックス５２ｃにチェックは表示されていない。
【００６０】
本実施形態のＣＤＳ１は、関連付けモードにおいて、カードＣおよびドキュメントＤのうち、いずれの原稿が先に読み取られた場合であっても、カード画像Ｉｃをプレビュー画面５０の左側の表示領域５１に表示させ、ドキュメント画像Ｉｄを右側の表示領域５２に表示させるように構成される。よって、読み取り順序の違いにかかわらず、同じ並び順での表示結果を表示できるので、ユーザの混乱を防止できる。
【００６１】
プレビュー画面５０には、ＯＫボタン５３と、カード追加ボタン５４と、ドキュメント追加ボタン５５とが表示される。ＯＫボタン５３は、プレビュー画面５０の表示終了を指示するボタンである。ユーザが、ＯＫボタン５３をタッチした場合、タッチパネル１７が、当該タッチを検出し、プレビュー画面５０の表示を終了させる指示をＣＰＵ１１に入力する。カード追加ボタン５４およびドキュメント追加ボタン５５は、それぞれ、カードＣおよびドキュメントＤの追加読取を指示するボタンである。ユーザが、カード追加ボタン５４またはドキュメント追加ボタン５５をタッチした場合、タッチパネル１７が、当該タッチを検出し、タッチされたボタンに応じた原稿を追加で読み取らせる指示をＣＰＵ１１に入力する。
【００６２】
本実施形態のＣＤＳ１によれば、第１経路Ｖ１および第２経路Ｖ２のうち、一方の経路を搬送される原稿（カードＣまたはドキュメントＤ）の読み取りを行った後、カバー３の開閉状態を変化させて、他方の経路を搬送される原稿の読み取りが行われたことを条件として、各読み取りによって生成されたカード画像データとドキュメント画像データとが、互いに関連付けられた状態で、プレビュー画面５０に表示されたり、ＵＳＢメモリに保存される。よって、カバー３の開閉によって搬送経路の切り替えを行うことにより、第１経路Ｖ１および第２経路Ｖ２をそれぞれ搬送される原稿（カードＣ，ドキュメントＤ）の読み取りに基づく各画像データを、互いに関連付けた状態でユーザに提供できる。そのため、ユーザは、互いに関連付けたい原稿の各画像データを、容易に取り扱うことができる。
【００６３】
次に、図８（ａ）を参照して、第２実施形態について説明する。上述した第１実施形態では、関連付け対象のカード画像およびドキュメント画像のファイル名の先頭に共通する文字列「ｘｘｘ」を付加することによって、両画像を関連付ける構成としたが、第２実施形態では、関連付け対象のカード画像およびドキュメント画像のファイルを同一フォルダに格納することによって、両画像を関連付ける。本実施形態において、第１実施形態と同一の部分には同一の符号を付し、その説明を省略する。
【００６４】
図８（ａ）は、第２実施形態の保存処理（Ｓ５１５）を示すフローチャートである。ＣＰＵ１１は、カード画像領域１３ａに記憶されるカード画像データを、Ｓ６２１と同様に、読取設定値により指定された形式のファイルに変換する（Ｓ７０１）。次に、ＣＰＵ１１は、ドキュメント画像領域１３ｂに記憶されるカード画像データを、Ｓ６２３と同様に、読取設定値により指定された形式のファイルに変換する（Ｓ７０２）。Ｓ７０１およびＳ７０２において生成されたファイルには、それぞれ、「Ｃａｒｄ＿ｎｎｎ．○○」および「Ｄｏｃｕｍｅｎｔ＿ｎｎｎ．○○」というファイル名が付される。なお、上記各ファイル名において、末尾の「○○」は、生成されたファイル形式に従う拡張子であり、文字列「Ｃａｒｄ」、「Ｄｏｃｕｍｅｎｔ」、および「ｎｎｎ」は、第１実施形態の保存処理（図６（ｂ）参照）において、カード画像およびドキュメント画像の各ファイル名と同様に付される文字列である。
【００６５】
次に、ＣＰＵ１１は、Ｓ７０１およびＳ７０２において生成した両ファイルを同一フォルダに格納して、ＵＳＢ＿Ｉ／Ｆ２３に接続されたＵＳＢメモリに保存し（Ｓ７０３）、本処理を終了する。Ｓ７０３において両ファイルを格納するフォルダには、「ｘｘｘ」というフォルダ名が付される。文字列「ｘｘｘ」としては、第１実施形態においてファイル名の先頭に付した「ｘｘｘ」と同様、例えば、読取処理を実行した日付や、予めユーザが指定した文字列などが付される。このように、第２実施形態によれば、関連付けモードでの読み取りによって得られたカード画像およびドキュメント画像の各ファイルが、同一のフォルダに格納されるので、ユーザは、当該１のフォルダ内に格納されているカード画像およびドキュメント画像が互いに関連付けられていることを認識できる。つまり、本実施形態のＣＤＳ１によれば、フォルダの単位でカード画像およびドキュメント画像を関連付けることができる。
【００６６】
次に、図８（ｂ）を参照して、第３実施形態について説明する。第３実施形態では、関連付け対象のカード画像およびドキュメント画像を含む１ファイルを生成することによって、両画像を関連付ける。本実施形態において、第１および第２実施形態と同一の部分には同一の符号を付し、その説明を省略する。
【００６７】
図８（ｂ）は、第３実施形態の保存処理（Ｓ５１５）を示すフローチャートである。ＣＰＵ１１は、カード画像領域１３ａに記憶されるカード画像データと、ドキュメント画像領域１３ｂに記憶されるドキュメント画像データとを、１のファイルに変換する（Ｓ７２１）。Ｓ７２１において生成される１のファイルのファイル形式は、ｐｄｆなど、マルチページ対応な形式であり、予め読取設定値として設定されている。次に、ＣＰＵ１１は、Ｓ７２１において生成したファイルのファイル名を「ｘｘｘ．○○」として、ＵＳＢ＿Ｉ／Ｆ２３に接続されたＵＳＢメモリに保存し（Ｓ６２４）、本処理を終了する。なお、上記ファイル名において、末尾の「○○」は、生成されたファイル形式に従う拡張子である。また、文字列「ｘｘｘ」としては、第１実施形態においてファイル名の先頭に付した「ｘｘｘ」と同様、例えば、読取処理を実行した日付や、予めユーザが指定した文字列などが付される。
【００６８】
第３実施形態によれば、関連付けモードでの読み取りによって得られたカード画像およびドキュメント画像を含む１のファイルが生成されるので、ユーザは、当該１のファイルに含まれるカード画像およびドキュメント画像が互いに関連付けられていることを認識できる。つまり、本実施形態のＣＤＳ１によれば、ファイルの単位でカード画像およびドキュメント画像を関連付けることができる。なお、本実施形態は、カード画像データとドキュメント画像データとを同一のファイルに含める構成であるので、カードＣおよびドキュメントＤを読み取る際の解像度や、ファイルサイズや、読取原稿のサイズを共通に設定することが好ましい。
【００６９】
次に、図９を参照して、第４実施形態について説明する。上述した第１実施形態では、関連付けモードにおいて、カードＣおよびドキュメントＤのうち、どちらの原稿が先に読み込まれても互いを関連付ける構成としたが、第４実施形態では、カバー３を閉じた状態にした読み取り、すなわち、カードＣの読み取りを先に行うことを関連付けの条件とする。本実施形態において、第１〜第３実施形態と同一の部分には同一の符号を付し、その説明を省略する。
【００７０】
図９は、第４実施形態のメイン処理を示すフローチャートである。本実施形態のメイン処理は、第１実施形態のメイン処理（図５参照）におけるＳ５０５とＳ５０６との間に、カバー３が開かれた状態であるかを判断する処理が行われる点で、第１実施形態と異なる。以下、第１実施形態との相違点を中心に説明する。Ｓ５０５において、原稿の挿入が検出されたとＣＰＵ１１が判断した場合（Ｓ５０５：Ｙｅｓ）、ＣＰＵ１１は、カバー開閉検知センサ２０から入力された信号に基づいて、カバー３が開かれた状態であるかを判断する（Ｓ９０１）。カバー３が閉じられた状態であるとＣＰＵ１１が判断した場合（Ｓ９０１：Ｎｏ）、ＣＰＵ１１は、読取処理を実行する（Ｓ５０６）。Ｓ５０６では、カードＣの読み取りが実行される。一方、カバー３が開かれた状態であるとＣＰＵ１１が判断した場合（Ｓ９０１：Ｙｅｓ）、ＣＰＵ１１は、読取処理を実行する（Ｓ５２３）。Ｓ５２３では、ドキュメントＤの読取処理を実行する。上述した通り、Ｓ５２３の読取処理によって生成された読取画像データ（ドキュメント画像データ）は、カード画像データと関連付けられることなく、独立してＵＳＢメモリに保存される。
【００７１】
よって、第４実施形態のメイン処理によれば、カバー３を閉じた状態にした読み取りを先に行うことを条件として、カード画像データとドキュメント画像データとが関連付けられる。カバー３が開いた状態において露出される挿入口２ｃは、ドキュメントＤを挿入するために設けられているが、ドキュメントＤより小さいカードＣも挿入することは可能である。しかしながら、ドキュメントＤより厚手のカードＣを挿入口２ｃから挿入させて第２経路Ｖ２を搬送させた場合、カードＣの厚さや硬さなどが原因で原稿詰まり等の不具合が生じる可能性がある。よって、カードＣは挿入口２ｃから挿入させないことが好ましい。第４実施形態では、カード画像データとドキュメント画像データとの関連付けを行う場合に、ドキュメントＤの読み取りに先立って、カバー３を閉じ、カードＣを挿入口２ｂから挿入して読み取りを行うように構成されているので、挿入口２ｂから挿入すべき（すなわち、第１経路Ｖ１を搬送すべき）カードＣを、挿入口２ｃに誤って挿入することを防止できる。
【００７２】
上記各実施形態において、ＣＤＳ１が、画像読取装置の一例である。画像読取センサ１８が、読取部の一例である。カバー３が、切替部の一例である。カバー開閉検知センサ２０が、検知部の一例である。ＣＰＵ１１が、制御部の一例である。ＬＣＤ１６が、表示部の一例である。タッチパネル１７が、入力部の一例である。第１経路Ｖ１および第２経路Ｖ２のうち、一方の経路が第１経路の一例であり、他方の経路が第２経路の一例である。カード画像データおよびドキュメント画像データのうち、一方の画像データが第１画像データの一例であり、他方の画像データが第２画像データの一例である。カードスキャン設定画面（図示せず）およびドキュメントスキャン設定画面（図示せず）のうち、一方の画面が第１画面の一例であり、他方の画面が第２画面の一例である。Ｓ５０６，Ｓ５１１の処理を実行するＣＰＵ１１が、画像生成手段の一例である。Ｓ６０１，Ｓ５１５の処理を実行するＣＰＵ１１が、関連付け手段、出力手段の一例である。Ｓ５０２，Ｓ５１６の処理を実行するＣＰＵ１１が、第１表示制御手段の一例である。Ｓ５１８の処理を実行するＣＰＵ１１が、制限手段の一例である。Ｓ６０１の処理を実行するＣＰＵ１１が、第２表示制御手段の一例である。Ｓ９０１の処理を実行するＣＰＵ１１が、第２読取許可手段の一例である。
【００７３】
以上、実施形態に基づき本発明を説明したが、本発明は上述した実施形態に何ら限定されるものではなく、本発明の趣旨を逸脱しない範囲内で種々の改良変更が可能であることは容易に推察できるものである。例えば、上記各実施形態では、画像読取装置の一例として、単機能のスキャナ装置であるＣＤＳ１を例示したが、スキャン機能以外の機能も有する多機能周辺装置（複合機）も画像読取装置の一例となり得る。
【００７４】
上記各実施形態では、カバー３を閉じた場合に、第１経路Ｖ１を搬送されるカードＣを読み取ったカード画像データと、カバー３を開いた場合に、第２経路Ｖ２を搬送されるドキュメントＤを読み取ったドキュメント画像データとを関連付ける構成とした。関連付け対象とするカードＣとドキュメントＤの読み取りは、搬送経路の違いに限らず、原稿の供給方法の違いによって区別する構成してもよい。例えば、画像読取装置が、原稿台とＡＤＦとを有する場合に、ユーザにより原稿台に供給されたカードＣを読み取ったカード画像データと、ＡＤＦにより供給されたドキュメントＤを読み取ったドキュメント画像データとを関連付ける構成としてもよい。かかる場合、例えば、カバーの開閉などによって、カードＣの読み取りであるか、ドキュメントＤの読み取りであるかを判断できる。あるいは、例えば、画像読取センサ１８が着脱可能に構成される場合、画像読取センサ１８が装着されているか否かによって、カードＣの読み取りであるか、ドキュメントＤの読み取りであるかを判断できる。
【００７５】
上記実施形態では、カバー３の開閉に応じて、読取対象とする原稿の搬送経路を、第１経路Ｖ１と第２経路Ｖ２とで切り替える構成としたが、第１経路Ｖ１と第２経路Ｖ２との切り替えは、例えば、専用の切り替えボタンを設け、当該ボタンの状態に応じて搬送経路を切り替える構成としてもよい。なお、かかる切り替えボタンは、ハードキーであっても、ソフトキーであってもよい。また、カード検知センサ２１の検知によって搬送ローラ１０４，１０５が原稿（カードＣ）を挟持したか否かや、カード検知センサ２１またはドキュメント検知センサ２２のどちらで原稿が検知されたかに応じて、搬送経路を切り替える構成としてもよい。例えば、カードＣが搬送ローラ１０４，１０５に挟持された場合に、搬送経路を第１経路Ｖ１に切り替え、カードＣが排出されて搬送ローラ１０４，１０５に挟持されなくなった場合に、搬送経路を第２経路Ｖ２に切り替えるようにしてもよい。
【００７６】
上記各実施形態では、カードスキャン設定画面およびドキュメントスキャン設定画面のいずれであっても、読取モードを設定できる構成としたが、読取モードを設定できる画面を、カードスキャン設定画面のみとし、ドキュメントスキャン設定画面では、読取モードの設定をできない構成としてもよい。かかる構成によれば、カードスキャン設定画面において関連付けモードに設定されるので、カバー３の開閉状態を変化させることなく、カバー３が閉じた状態のまま、カードＣの読み取りを先に完了させることができる。よって、カードＣを挿入口２ｃに挿入させることを防止でき、その結果、カードＣが第２経路Ｖ２を搬送されたことによる原稿詰まり等の不具合を防止できる。なお、かかる構成を採用した場合、Ｓ５０８の処理を実行するＣＰＵ１１が、第１読取許可手段の一例となる。
【００７７】
上記各実施形態において、関連付けモードである場合に、一方の原稿の読み取りが実行された後、他方の原稿の読み取りを促すメッセージを表示する構成としてもよい。また、プレビュー画面５０に、ファイル名や保存先を変更できる画面に遷移するためのボタンを設ける構成としてもよい。
【００７８】
上記各実施形態において、カード画像データおよびドキュメント画像データの保存先として、ＵＳＢメモリを例示したが、保存先としては、ＳＤカード（登録商標）等の各種記憶媒体や、外付けのハードディスクなどであってもよい。また、フラッシュメモリ１２を保存先としてもよい。あるいは、保存先は、ＰＣなどの外部装置のメモリや、ネットワーク上の各種サーバ（例えば、ＦＴＰサーバ、クラウドサーバ）であってもよい。また、Ｅメールに互いに関連付けられたファイルを添付する構成としてもよい。
【００７９】
上記各実施形態では、カード画像データおよびドキュメント画像データを、互いに関連づけた状態で、プレビュー画面５０に表示させたり、ＵＳＢなどの保存先への出力（保存）させることを例示した。カード画像データおよびドキュメント画像データのそれぞれに基づく画像を、ＣＤＳ１に接続したプリンタにおいて、例えば、２ｉｎ１のレイアウトで用紙に印刷させたり、共通する文字列を含む各画像のファイル名を画像とともに印刷させたりすることによって、両画像データを関連付けるようにしてもよい。
【００８０】
上記各実施形態において、プレビュー画面５０などの各種画面を、ＣＤＳ１に設けられたＬＣＤ１６に表示させる構成としたが、ＣＤＳ１に接続されたＰＣなどの外部装置のディスプレイに表示させる構成としてもよい。かかる場合、外部装置のディスプレイに表示された画面に対して設定や指示をＣＤＳ１に入力する構成としてもよい。
【００８１】
上記第１実施形態では、ファイル名の先頭に共通する文字列「ｘｘｘ」を付加することによって、カード画像のファイルとドキュメント画像のファイルとを関連付ける構成としたが、両ファイルのファイル形式が異なる場合には、両ファイルに同じファイル名をつけることによって、両ファイルを関連付ける構成としてもよい。
【００８２】
上記各実施形態では、カードＣの読取画像データと、ドキュメントＤの読取画像データとを関連付ける構成としたが、搬送経路や供給方法が異なる原稿であれば、関連付けの対象となる原稿は、カードＣとドキュメントＤとに限らず、例えば、両方がドキュメントであったり、両方がカードであったりしてもよい。
【符号の説明】
【００８３】
１        ＣＤＳ
１２ａ    制御プログラム
【図１】
2014086958.tif 000003
【図２】
2014086958.tif 000004
【図３】
2014086958.tif 000005
【図４】
2014086958.tif 000006
【図５】
2014086958.tif 000007
【図６】
2014086958.tif 000008
【図７】
2014086958.tif 000009
【図８】
2014086958.tif 000010
【図９】
2014086958.tif 000011